(57)【要約】【課題】光源装置に設けられる発光素子の放熱効果を向上させる。【解決手段】発光素子７１の取付部７１ｂは、第一ホルダー８２に設けられた座繰り部８２ｂの底面である載置面８２ｂ１に載置される。そして、発光素子７１のリード端子７１ｃは、貫通孔８２ｃに挿通される。リード端子７１ｃの外周には、絶縁部７１ｃ１が形成されている。貫通孔８２ｃは、リード端子７１ｃの絶縁部７１ｃ１の外周を円環状に形成されている。貫通孔８２ｃの断面積は、各リード端子７１ｃの断面積の総和より大きく、複数のリード端子７１ｃによる外接円の面積よりも小さい。【選択図】    図５
2015122142.tif 000002
【特許請求の範囲】
【請求項１】
複数のリード端子を有する発光素子と、
前記複数のリード端子が突出する取付部と接して前記発光素子が載置される載置面と、前記載置面から貫通し、前記リード端子を挿通させる貫通孔と、を有する第一ホルダーと、
を備え、
前記貫通孔の断面積は、前記各リード端子の断面積の総和より大きく、前記複数のリード端子による外接円の面積よりも小さいことを特徴とする光源装置。
【請求項２】
前記貫通孔は、前記貫通孔の断面において、前記リード端子の外周に沿った円弧状に形成される湾曲外周部を有することを特徴とする請求項１に記載の光源装置。
【請求項３】
前記貫通孔は前記複数のリード端子毎に形成され、前記貫通孔の夫々の断面において、前記リード端子毎に前記湾曲外周部が連続して円形に形成されていることを特徴とする請求項１又は請求項２に記載の光源装置。
【請求項４】
前記貫通孔は、前記貫通孔の断面において、各前記リード端子に沿った夫々の前記湾曲外周部と、前記湾曲外周部同士を接続した接続部と、により構成され、前記接続部は、外側に湾曲する凸曲線状に形成されることを特徴とする請求項１乃至請求項３の何れかに記載の光源装置。
【請求項５】
前記貫通孔は、前記貫通孔の断面において、各前記リード端子に沿った夫々の前記湾曲外周部と、前記湾曲外周部同士を接続した接続部と、により構成され、前記接続部は、内側に湾曲する凹曲線状に形成されることを特徴とする請求項１乃至請求項４の何れかに記載の光源装置。
【請求項６】
前記貫通孔は、前記貫通孔の断面において、各前記リード端子に沿った夫々の前記湾曲外周部と、前記湾曲外周部同士を接続した接続部と、により構成され、前記接続部は、直線状に形成されることを特徴とする請求項１乃至請求項５の何れかに記載の光源装置。
【請求項７】
各前記リード端子は、外周に絶縁部が設けられていることを特徴とする請求項１乃至請求項６の何れかに記載の光源装置。
【請求項８】
前記載置面は、前記第一ホルダーの前面に凹部として形成された座繰り部の底面であることを特徴とする請求項１乃至請求項７の何れかに記載の光源装置。
【請求項９】
前記第一ホルダーは、前記各リード端子と接続する回路基板が挿通可能に形成された回路基板挿通溝がその裏面に設けられていることを特徴とする請求項１乃至請求項８の何れかに記載の光源装置。
【請求項１０】
前記第一ホルダーと接続されるヒートシンクを更に備え、
前記ヒートシンクには、前記回路基板挿通溝と対向した凹溝部が前記第一ホルダーとの接触面に設けられていることを特徴とする請求項９に記載の光源装置。
【請求項１１】
前記発光素子から射出される光束を集光するレンズと、
前記レンズが収納されるとともに、前記第一ホルダーと接続され、前記発光素子の射出方向側に設けられる第二ホルダーと、
を更に備えることを特徴とする請求項１乃至請求項１０の何れか記載の光源装置。
【請求項１２】
請求項１乃至請求項１１の何れかに記載の前記光源装置と、
前記光源装置からの光を表示素子に導光する光源側光学系と、
前記表示素子から射出された画像をスクリーンに投影する投影側光学系と、
前記光源装置や前記表示素子を制御する投影装置制御手段と、
を備えることを特徴とする投影装置。
【請求項１３】
略筒状に形成された取付部を有し、該取付部の後端面から複数のリード端子を突出して形成された発光素子を含む光源装置の製造方法であって、
載置面から貫通する貫通孔を有し、該貫通孔は、各前記リード端子の断面積の総和より大きく、複数の前記リード端子による外接円の面積よりも小さく形成された第一ホルダーを準備する準備工程と、
前記発光素子の前記取付部を複数の前記リード端子を前記貫通孔に挿通させるように前記載置面に載置する素子載置工程と、
発光素子の射出方向側から、前記発光素子を収納する孔部を備えた第二ホルダーを前記第一ホルダーに装着するホルダー装着工程と、
前記第一ホルダーと、前記第二ホルダーとを固定するホルダー固定工程と、
複数の前記リード端子と、回路基板とを接続する接続工程と、
前記第二ホルダーにレンズを載置するレンズ載置工程と、
前記レンズの脱落を防止するレンズ押え板を前記第二ホルダーに装着する押え板装着工程と、
前記レンズ押え板と、組み合わされた前記第一ホルダー及び前記第二ホルダーを締結する締結工程と、
を含むことを特徴とする光源装置の製造方法。
【請求項１４】
前記ホルダー装着工程の前に、前記第一ホルダー及び又は前記第二ホルダーの対向面に熱伝導性接着剤を塗布する塗布工程をさらに含むことを特徴とする請求項１３に記載の光源装置の製造方法。
【請求項１５】
前記締結工程は、前記第一ホルダーと接続されるヒートシンクをともに締結することを特徴とする請求項１３又は請求項１４に記載の光源装置の製造方法。
【請求項１６】
前記素子載置工程の前に、前記リード端子と前記第一ホルダー間に絶縁処理を施すことを特徴とする請求項１３乃至請求項１５の何れかに記載の光源装置の製造方法。
【請求項１７】
前記絶縁処理は、各前記リード端子に絶縁性チューブを被覆させることを特徴とする請求項１６に記載の光源装置の製造方法。
【発明の詳細な説明】
【技術分野】
【０００１】
本発明は、レーザーダイオード等による光源装置、投影装置及び光源装置の製造方法に関する。
【背景技術】
【０００２】
今日、パーソナルコンピュータの画面やビデオ画像、さらにメモリカード等に記憶されている画像データによる画像等をスクリーンに投影するプロジェクタ等の投影装置が多用されている。このようなプロジェクタにおいて、従来は高輝度の放電ランプを光源とするものが主流であった。しかしながら、近年、このような従来の光源よりもさらに明るい投影画像を得つつ、光源を高寿命化できるレーザーダイオード等の半導体による発光素子を用いた光源装置光を有するものが提案されている。
【０００３】
特許文献１に開示される光源装置は、青色レーザー発光器を支持する素子保持体の上面に、座繰り状に（凹部として）形成されたフランジ支持部が設けられている。そして、このフランジ支持部には、青色レーザー発光器のフランジ部が載置されている。このフランジ支持部は、下面に向けて貫通孔が設けられている。この貫通孔には、複数本設けられたリード端子が挿通されるとともに、貫通孔の内部のリード端子の突端部分には、このリード端子と接続されるＦＰＣが設けられている。なお、素子保持体は、アルミ等の放熱部材で形成され、その下面にはヒートシンクが接続されている。
【先行技術文献】
【特許文献】
【０００４】
【特許文献１】特開２０１３−１９６９４６号公報
【発明の概要】
【発明が解決しようとする課題】
【０００５】
特許文献１に開示される素子保持体の貫通孔は、リード端子やＦＰＣを内装し、素子保持体とリード端子との絶縁を確保することができるような十分な大きさに開けられている。こうすると、青色レーザー発光器と素子保持体の接触は、青色レーザー発光器のフランジ部外周と、フランジ部下面のフランジ支持部と接触している部分のみとなる。青色レーザー発光器の放熱は、特にフランジ部下面から多く発生するので、フランジ部下面と素子保持体との接触面積を多くとることが望ましい。青色レーザー発光器の放熱が十分にされない場合には、輝度が落ちたり、寿命が短くなったり等の不具合が生じてしまう。
【０００６】
本発明は、レーザーダイオード等の発光素子と、この発光素子を保持する保持体との接触面積を増大させ、より放熱効率を高めた光源装置、投影装置及び発光素子の取付方法を提供することを目的とする。
【課題を解決するための手段】
【０００７】
本発明の光源装置は、複数のリード端子を有する発光素子と、前記複数のリード端子が突出する取付部と接して前記発光素子が載置される載置面と、前記載置面から貫通し、前記リード端子を挿通させる貫通孔と、を有する第一ホルダーと、を備え、前記貫通孔の断面積は、前記各リード端子の断面積の総和より大きく、前記複数のリード端子による外接円の面積よりも小さいことを特徴とする。
【０００８】
本発明の投影装置は、上記の前記光源装置と、前記光源装置からの光を表示素子に導光する光源側光学系と、前記表示素子から射出された画像をスクリーンに投影する投影側光学系と、前記光源装置や前記表示素子を制御する投影装置制御手段と、を備えることを特徴とする。
【０００９】
本発明の光源装置の製造方法は、略筒状に形成された取付部を有し、該取付部の後端面から複数のリード端子を突出して形成された発光素子を含む光源装置の製造方法であって、載置面から貫通する貫通孔を有し、該貫通孔は、各前記リード端子の断面積の総和より大きく、複数の前記リード端子による外接円の面積よりも小さく形成された第一ホルダーを準備する準備工程と、前記発光素子の前記取付部を複数の前記リード端子を前記貫通孔に挿通させるように前記載置面に載置する素子載置工程と、発光素子の射出方向側から、前記発光素子を収納する孔部を備えた第二ホルダーを前記第一ホルダーに装着するホルダー装着工程と、前記第一ホルダーと、前記第二ホルダーとを固定するホルダー固定工程と、複数の前記リード端子と、回路基板とを接続する接続工程と、前記第二ホルダーにレンズを載置するレンズ載置工程と、前記レンズの脱落を防止するレンズ押え板を前記第二ホルダーに装着する押え板装着工程と、前記レンズ押え板と、組み合わされた前記第一ホルダー及び前記第二ホルダーを締結する締結工程と、を含むことを特徴とする。
【発明の効果】
【００１０】
本発明によれば、発光素子と、この発光素子を保持する保持体との接触面積を増大させ、放熱効率を向上させることができる。
【図面の簡単な説明】
【００１１】
【図１】本発明の実施形態に係る投影装置を示す外観斜視図である。
【図２】本発明の実施形態に係る投影装置の機能ブロックを示す図である。
【図３】本発明の実施形態に係る投影装置の内部構造を示す平面模式図である。
【図４】本発明の実施形態に係る光源装置である励起光照射装置の分解斜視図である。
【図５】本発明の実施形態に係る光源装置である励起光照射装置の一部の断面を示す縦断面図である。
【図６】本発明の実施形態に係る図５のＶＩ−ＶＩ断面を示す横断面模式図である。
【図７】本発明の他の実施形態に係る図５のＶＩ−ＶＩ断面に相当する横断面模式図である。
【図８】本発明のさらに他の実施形態に係る図５のＶＩ−ＶＩ断面に相当する横断面模式図である。
【図９】本発明のさらに他の実施形態に係る図５のＶＩ−ＶＩ断面に相当する横断面模式図である。
【図１０】本発明のさらに他の実施形態に係る図５のＶＩ−ＶＩ断面に相当する横断面模式図である。
【図１１】本発明のさらに他の実施形態に係る図５のＶＩ−ＶＩ断面に相当する横断面模式図である。
【図１２】本発明に係る光源装置の製造方法の実施形態を説明するためのフロー図である。
【発明を実施するための形態】
【００１２】
以下、本発明の実施形態を図に基づいて詳説する。図１は、投影装置１０の外観斜視図である。なお、本実施形態において、投影装置１０における左右とは投影方向に対しての左右方向を示し、前後とは投影装置１０のスクリーン側方向及び光源装置等に関しては光線束の進行方向に対しての前後方向を示す。
【００１３】
そして、投影装置１０は、図１に示すように、略直方体形状であって、プロジェクタ筐体の前方の側板とされる正面パネル１２の側方に投影口を覆うレンズカバー１９を有するとともに、この正面パネル１２には複数の吸気孔１８を設けている。さらに、図示しないがリモートコントローラからの制御信号を受信するＩｒ受信部を備えている。
【００１４】
また、筐体の上面パネル１１にはキー／インジケータ部３７が設けられ、このキー／インジケータ部３７には、電源スイッチキーや電源のオン又はオフを報知するパワーインジケータ、投影のオン、オフを切りかえる投影スイッチキー、光源ユニットや表示素子又は制御回路等が過熱したときに報知をする過熱インジケータ等のキーやインジケータが配置されている。
【００１５】
さらに、筐体の背面には、背面パネルにＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子２０が設けられている。また、背面パネルには、複数の吸気孔が形成されている。なお、図示しない筐体の側板である右側パネル、及び、図１に示した側板である左側パネル１５には、各々複数の排気孔１７が形成されている。また、左側パネル１５の背面パネル近傍の隅部には、吸気孔１８も形成されている。
【００１６】
次に、投影装置１０の投影装置制御手段について図２の機能ブロック図を用いて述べる。投影装置制御手段は、制御部３８、入出力インターフェース２２、画像変換部２３、表示エンコーダ２４、表示駆動部２６等から構成される。
【００１７】
この制御部３８は、投影装置１０内の各回路の動作制御を司るものであって、ＣＰＵ、各種セッティング等の動作プログラムを固定的に記憶したＲＯＭ及びワークメモリとして使用されるＲＡＭ等により構成されている。
【００１８】
そして、このプロジェクタ制御手段により、入出力コネクタ部２１から入力された各種規格の画像信号は、入出力インターフェース２２、システムバス（ＳＢ）を介して画像変換部２３で表示に適した所定のフォーマットの画像信号に統一するように変換された後、表示エンコーダ２４に出力される。
【００１９】
また、表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２０】
表示駆動部２６は、表示素子制御手段として機能するものであり、表示エンコーダ２４から出力された画像信号に対応して適宜フレームレートで空間的光変調素子（ＳＯＭ）である表示素子５１を駆動するものである。そして、この投影装置１０は、光源ユニット６０から射出された光線束を後述の光源側光学系を介して表示素子５１に照射することにより、表示素子５１の反射光で光像を形成し、投影側光学系を介して図示しないスクリーンに画像を投影表示する。なお、この投影側光学系の可動レンズ群２３５は、レンズモータ４５によりズーム調整やフォーカス調整のための駆動が行われる。
【００２１】
また、画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２２】
さらに、画像圧縮／伸長部３１は、再生モード時にメモリカード３２に記録された画像データを読み出し、一連の動画を構成する個々の画像データを１フレーム単位で伸長し、この画像データを、画像変換部２３を介して表示エンコーダ２４に出力し、メモリカード３２に記憶された画像データに基づいて動画等の表示を可能とする処理を行う。
【００２３】
そして、筐体の上面パネル１１に設けられるメインキー及びインジケータ等により構成されるキー／インジケータ部３７の操作信号は、直接に制御部３８に送出され、リモートコントローラからのキー操作信号は、Ｉｒ受信部３５で受信され、Ｉｒ処理部３６で復調されたコード信号が制御部３８に出力される。
【００２４】
なお、制御部３８にはシステムバス（ＳＢ）を介して音声処理部４７が接続されている。この音声処理部４７は、ＰＣＭ音源等の音源回路を備えており、投影モード及び再生モード時には音声データをアナログ化し、スピーカ４８を駆動して拡声放音させる。
【００２５】
また、制御部３８は、光源制御手段としての光源制御回路４１を制御しており、この光源制御回路４１は、画像生成時に要求される所定波長帯域の光が光源ユニット６０から射出されるように、光源ユニット６０の赤色、緑色及び青色の波長帯域光を発光させる個別の制御を行う。
【００２６】
さらに、制御部３８は、冷却ファン駆動制御回路４３に光源ユニット６０等に設けた複数の温度センサによる温度検出を行わせ、この温度検出の結果から冷却ファンの回転速度を制御させている。また、制御部３８は、冷却ファン駆動制御回路４３にタイマー等により投影装置本体の電源オフ後も冷却ファンの回転を持続させる、あるいは、温度センサによる温度検出の結果によっては投影装置本体の電源をオフにする等の制御も行う。
【００２７】
次に、この投影装置１０の内部構造について述べる。図３は、投影装置１０の内部構造を示す平面模式図である。投影装置１０は、図３に示すように、右側パネル１４の近傍に制御回路基板２４１を備えている。この制御回路基板２４１は、電源回路ブロックや光源制御ブロック等を備えている。また、投影装置１０は、制御回路基板２４１の側方、つまり、投影装置１０の筐体の略中央部分に光源ユニット６０を備えている。さらに、投影装置１０は、光源ユニット６０と左側パネル１５との間に光学系ユニット１６０を備えている。
【００２８】
光源ユニット６０は、投影装置筐体の左右方向における略中央部分であって背面パネル１３近傍に配置される励起光照射装置７０と、この励起光照射装置７０から射出される光線束の光軸上であって正面パネル１２の近傍に配置される蛍光発光装置１００と、励起光照射装置７０と蛍光発光装置１００との間に配置される赤色光源装置１２０と、蛍光発光装置１００からの射出光や赤色光源装置１２０からの射出光の光軸が同一の光軸となるように変換して、各色光を所定の一面であるライトトンネル１７５の入射口に集光する導光光学系１４０と、を備える。なお、励起光照射装置７０は、以下説明の通り、緑色波長帯域光を励起させるための励起光、及び、そのまま青色波長帯域光を発光するための光源として使われる光源装置である。
【００２９】
励起光照射装置７０は、背面パネル１３と光軸が平行になるよう配置された励起光源としての複数の発光素子７１から成る光源群７２、各発光素子７１からの射出光の光軸を正面パネル１２方向に９０度変換する複数の反射ミラー７５、複数の反射ミラー７５で反射した各発光素子７１からの射出光を集光する集光レンズ７８、及び、発光素子７１と右側パネル１４との間に配置されたヒートシンク８１等を備える。
【００３０】
光源群７２は、複数の青色レーザー発光器とされる発光素子７１がマトリクス状に配列されて成る。また、各発光素子７１の光軸上には、各発光素子７１からの射出光の指向性を高めるように平行光に変換するコリメータレンズ７３が夫々配置されている。そして、複数の反射ミラー７５は、階段状に配列されて、各発光素子７１から射出される光源光束同士の間隔を狭めることにより、光源群７２から射出される光線束の断面積を水平方向において縮小して、集光レンズ７８に向けて反射する。
【００３１】
ヒートシンク８１と背面パネル１３との間には冷却ファン２６１が配置されており、この冷却ファン２６１とヒートシンク８１とによって発光素子７１が冷却される。さらに、反射ミラー７５と背面パネル１３との間にも冷却ファン２６１が配置されており、この冷却ファン２６１によって反射ミラー７５や集光レンズ７８が冷却される。
【００３２】
蛍光発光装置１００は、正面パネル１２と平行となるように、つまり、励起光照射装置７０からの射出光の光軸と直交するように配置された蛍光ホイール１０１と、この蛍光ホイール１０１を回転駆動するホイールモータ１１０と、励起光照射装置７０から射出される光線束を蛍光ホイール１０１に集光するとともに蛍光ホイール１０１から背面パネル１３方向に射出される光線束を集光する集光レンズ群１１１と、蛍光ホイール１０１から正面パネル１２方向に射出される光線束を集光する集光レンズ１１５と、を備える。
【００３３】
蛍光ホイール１０１は、励起光照射装置７０からの射出光を励起光として受けて緑色波長帯域の蛍光発光光を射出する緑色蛍光発光領域と、励起光照射装置７０からの射出光を拡散透過する拡散透過領域と、が周方向に並設してなる。また、緑色蛍光発光領域における基材は銅やアルミニウム等から成る金属基材であって、この基材の背面パネル１３側の表面は、銀蒸着等によってミラー加工されており、このミラー加工された表面に緑色蛍光体の層が敷設されている。さらに、拡散透過領域における基材は透光性を有する透明基材であって、この基材の表面には、サンドブラスト等によって微細凹凸が形成されている。
【００３４】
そして、蛍光ホイール１０１の緑色蛍光体層に照射された励起光照射装置７０からの射出光は、緑色蛍光体層における緑色蛍光体を励起し、緑色蛍光体から全方位に蛍光発光された光線束は、直接背面パネル１３側へ、あるいは、蛍光ホイール１０１の表面で反射した後に背面パネル１３側へ射出され、集光レンズ群１１１に入射する。また、蛍光ホイール１０１の拡散透過領域に照射された励起光照射装置７０からの射出光は、微細凹凸によって拡散された拡散透過光として集光レンズ１１５に入射する。なお、ホイールモータ１１０と正面パネル１２との間には冷却ファン２６１が配置されており、この冷却ファン２６１によって蛍光発光装置１００等が冷却される。
【００３５】
赤色光源装置１２０は、発光素子７１と光軸が平行となるように配置された赤色光源１２１と、赤色光源１２１からの射出光を集光する集光レンズ群１２５と、を備える単色発光装置である。この赤色光源１２１は、赤色波長帯域の光を発する赤色発光ダイオードである。そして、この赤色光源装置１２０は、励起光照射装置７０からの射出光及び蛍光ホイール１０１から射出される緑色波長帯域光と光軸が交差するように配置されている。さらに、赤色光源装置１２０は、赤色光源１２１の右側パネル１４側に配置されるヒートシンク１３０を備える。そして、ヒートシンク１３０と正面パネル１２との間には冷却ファン２６１が配置されており、この冷却ファン２６１によって赤色光源１２１が冷却される。
【００３６】
そして、導光光学系１４０は、赤色、緑色、青色波長帯域の光線束を集光させる集光レンズや、各色波長帯域の光線束の光軸を変換して同一の光軸とさせる反射ミラー、ダイクロイックミラー等からなる。具体的には、励起光照射装置７０から射出される青色波長帯域光及び蛍光ホイール１０１から射出される緑色波長帯域光と、赤色光源装置１２０から射出される赤色波長帯域光とが交差する位置に、青色及び赤色波長帯域光を透過し、緑色波長帯域光を反射してこの緑色光の光軸を左側パネル１５方向に９０度変換する第一ダイクロイックミラー１４１が配置されている。
【００３７】
また、蛍光ホイール１０１を拡散透過した青色波長帯域光の光軸上、つまり、集光レンズ１１５と正面パネル１２との間には、青色波長帯域光を反射してこの青色光の光軸を左側パネル１５方向に９０度変換する第一反射ミラー１４３が配置されている。さらに、第一反射ミラー１４３で反射した青色波長帯域光の光軸上であって光学系ユニット１６０の近傍には、この青色光の光軸を背面パネル１３方向に９０度変換する第二反射ミラー１４５が配置されている。
【００３８】
また、第一ダイクロイックミラー１４１を透過した赤色波長帯域光の光軸及びこの光軸と一致するように第一ダイクロイックミラー１４１により反射された緑色波長帯域光の光軸と、第二反射ミラー１４５で反射した青色波長帯域光の光軸とが交差する位置には、青色波長帯域光を透過し、赤色及び緑色波長帯域光を反射してこれら赤色及び緑色光の光軸を背面パネル１３方向に９０度変換する第二ダイクロイックミラー１４８が配置されている。そして、ダイクロイックミラーや反射ミラーの間には、夫々集光レンズが配置されている。さらに、ライトトンネル１７５の近傍には、ライトトンネル１７５の入射口に光源光を集光する集光レンズ１７３が配置されている。
【００３９】
光学系ユニット１６０は、励起光照射装置７０の左側方に位置する照明側ブロック１６１と、背面パネル１３と左側パネル１５とが交差する位置の近傍に位置する画像生成ブロック１６５と、導光光学系１４０と左側パネル１５との間に位置する投影側ブロック１６８と、の３つのブロックによって略コの字状に構成されている。
【００４０】
この照明側ブロック１６１は、光源ユニット６０から射出された光源光を画像生成ブロック１６５が備える表示素子５１に導光する光源側光学系１７０の一部を備えている。この照明側ブロック１６１が有する光源側光学系１７０としては、光源ユニット６０から射出された光線束を均一な強度分布の光束とするライトトンネル１７５や、ライトトンネル１７５から射出された光を集光する集光レンズ１７８、ライトトンネル１７５から射出された光線束の光軸を画像生成ブロック１６５方向に変換する光軸変換ミラー１８１等がある。
【００４１】
画像生成ブロック１６５は、光源側光学系１７０として、光軸変換ミラー１８１で反射した光源光を表示素子５１に集光させる集光レンズ１８３と、この集光レンズ１８３を透過した光線束を表示素子５１に所定の角度で照射する照射ミラー１８５と、を有している。さらに、画像生成ブロック１６５は、表示素子５１とするＤＭＤを備え、この表示素子５１と背面パネル１３との間には表示素子５１を冷却するためのヒートシンク１９０が配置されて、このヒートシンク１９０によって表示素子５１が冷却される。また、表示素子５１の正面近傍には、投影側光学系２２０としての集光レンズ１９５が配置されている。
【００４２】
投影側ブロック１６８は、表示素子５１で反射されたオン光をスクリーンに放出する投影側光学系２２０のレンズ群を有している。この投影側光学系２２０としては、固定鏡筒に内蔵する固定レンズ群２２５と可動鏡筒に内蔵する可動レンズ群２３５とを備えてズーム機能を備えた可変焦点型レンズとされ、レンズモータにより可動レンズ群２３５を移動させることによりズーム調整やフォーカス調整を可能としている。
【００４３】
次に、図４〜図６に基づいて、緑色波長帯域光の励起光、及び、青色波長帯域光についての光源装置である励起光照射装置７０の発光素子７１の取付構造について説明する。図４は、励起光照射装置７０の分解斜視図である。図５は、励起光照射装置７０に設けられた一つの励起光源である発光素子７１の取付構造を示す縦断面図である。図６は、図５のＶＩ−ＶＩ断面からみた横断面の模式図である。
【００４４】
図４において、発光素子７１は、前側の平坦面に発光部７１ａを有し、この発光部７１ａから光が射出される。発光部７１ａは外周を円筒状に形成され、その基端部分にはフランジ状に取付部７１ｂが形成されている。取付部７１ｂからはリード端子７１ｃが、取付部７１ｂを基端部分として伸びている。発光素子７１は、３行８列の合計２４個がマトリクス状に配置されている。
【００４５】
一方、第一ホルダー８２は、アルミニウム等の放熱作用のある金属材料にて形成されている。第一ホルダー８２には、発光素子７１が取り付けられる座繰り部８２ｂが、複数の発光素子７１に対応して同数設けられている。発光素子７１は、第一ホルダー８２の座繰り部８２ｂに設置される。そして、第一ホルダー８２は、その後面において、ヒートシンク８１と接続される。一方、第二ホルダー８３には、孔部８３ａが複数の発光素子７１に対応して同数設けられ、この孔部８３ａに発光素子７１を収納する。そして、第二ホルダー８３は、第一ホルダー８２と、４本のホルダー用ねじ８６にて連結される。４本のホルダー用ねじ８６は、第一ホルダー８２に４か所設けられたねじ穴と螺合される。よって、発光素子７１は、第二ホルダー８３により、第一ホルダー８２に対して固定される。
【００４６】
そして、発光素子７１の前側には、コリメータレンズ７３が設けられている。コリメータレンズ７３は、複数の発光素子７１に対応して同数が、第二ホルダー８３の孔部８３ａに所定の嵌合力にて圧入されている。そして、コリメータレンズ７３の前側から、コリメータレンズ７３が抜け落ちないように、レンズ押え板８９が固定される。レンズ押え板８９には、コリメータレンズ７３からの射出光が射出可能なように、孔部８９ａが形成されている。以上のレンズ押え板８９と、ホルダー用ねじ８６にて連結されている第二ホルダー８３及び第一ホルダー８２は、６本のねじ８５がヒートシンク８１に設けられたねじ穴に螺合することにより、ヒートシンク８１に固定される。
【００４７】
ここで、発光素子７１が第一ホルダー８２に取り付けられている構造を、図５に基づいてさらに説明する。発光素子７１は、前端面に光を射出する発光部７１ａが設けられている。発光部７１ａの外周は円筒状に形成され、その基端部分にはフランジ状（換言すれば、略筒状）に形成された取付部７１ｂが形成されている。そして、取付部７１ｂの後端面は平坦な面として形成されている。この取付部７１ｂの後端面からは、下方に２本のリード端子７１ｃが直線状に延びている。リード端子７１ｃの断面は、円形に形成されている。そして、リード端子７１ｃの突端部近傍には、発光素子７１に電力供給等を行う回路基板であるＦＰＣ（フレキシブル・プリント・サーキット）９０が接続されている。リード端子７１ｃとＦＰＣ９０とは、リード端子７１ｃの突端部近傍であって、ＦＰＣ９０の後側の面において、半田９０ａにより接続されている。また、リード端子７１ｃの基端部分からＦＰＣ９０の前側の面に亘って、リード端子７１ｃの外周に絶縁部７１ｃ１が設けられている。この絶縁部７１ｃ１は、第一ホルダー８２とリード端子７１ｃが接触してショートすることを防止している。絶縁部７１ｃ１は、例えば、絶縁塗装や絶縁チューブにより形成することができる。
【００４８】
一方、第一ホルダー８２の前面８２ａには、円筒状に座繰り部８２ｂが形成されている。座繰り部８２ｂの深さは、発光素子７１のフランジ状の円筒状に形成された取付部７１ｂの厚みより僅かに浅い深さに形成されている。座繰り部８２ｂの直径は、取付部７１ｂの直径と略同等であって、座繰り部８２ｂの垂直な壁面と取付部７１ｂの外周は、接触又は近接している。そして、座繰り部８２ｂの底面である載置面８２ｂ１は、平坦に形成されている。載置面８２ｂ１には、発光素子７１の取付部７１ｂの後端面が面接触されている。また、座繰り部８２ｂの載置面８２ｂ１からは、リード端子７１ｃが挿通するための貫通孔８２ｃが形成されている。貫通孔８２ｃの直径は、図６に示すように、絶縁部７１ｃ１を含むリード端子７１ｃの断面積よりやや大きめに形成されている。
【００４９】
図５に示すように、貫通孔８２ｃの後端部には、前述の回路基板であるＦＰＣ９０が挿通（配置）される回路基板挿通溝８２ｄが形成されている。回路基板挿通溝８２ｄは、行及び列をなして配列される発光素子７１の列方向に沿って形成される。よって、ＦＰＣ９０も、発光素子７１の行毎に（本実施例では８個の発光素子７１毎に）接続され、ＦＰＣ９０は、３行分設けられている。また、第一ホルダー８２の後面８２ｅは、ヒートシンク８１の面と接続している。そして、リード端子７１ｃの突端部と対向するヒートシンク８１の面上には、リード端子７１ｃとの干渉を回避する凹溝部８１ａが形成されている。
【００５０】
また、第一ホルダー８２の前側には、第二ホルダー８３が設けられている。そして、第二ホルダー８３は、その後面８３ｂの端部８３ｃにより、フランジ状の取付部７１ｂの前面の周囲を押圧し、発光素子７１を第一ホルダー８２に押しつけるようにして固定している。
なお、第一ホルダー８２の前面８２ａと第二ホルダー８３の後面８３ｂとの間には、僅かな隙間８７ができるが、この部分（第一ホルダー８２の前面８２ａと第二ホルダー８３の後面８３ｂの少なくともどちらか一方）に、熱伝導性接着剤８８を塗布して第一ホルダー８２の前面８２ａと第二ホルダー８３を接合させるようにすれば、フランジ状の取付部７１ｂの前面側から第二ホルダー８３に放熱される熱も第一ホルダー８２側に伝達させることができ、更に放熱性を向上させることができる。
【００５１】
また、第二ホルダー８３は、第二ホルダー８３を貫通する孔部８３ａが形成されている。孔部８３ａの縦方向略中間部分には、コリメータレンズ７３を支持する受け部８３ｃが段状に形成されている。よって、孔部８３ａは、受け部８３ｃより発光素子７１側においては発光部７１ａ後側の円筒状部分の外周に小径部分が形成され、受け部８３ｃよりも発光素子７１と反対側は大径部分として形成されている。そしてこの大径部分に、所定の嵌合力によりコリメータレンズ７３が圧入されて、受け部８３ｃにより支持されている。また、第二ホルダー８３の前面には、レンズ押え板８９が設けられている。レンズ押え板８９には、コリメータレンズ７３からの射出光が射出可能なように、孔部８９ａが形成されている。
【００５２】
発光素子７１が光を射出することにより発生する熱は、発光素子７１の取付部７１ｂが載置される載置面８２ｂ１から後面８２ｅに伝わる。そして、この後面８２ｅから冷却装置であるヒートシンク８１に熱が伝わって、発光素子７１からの熱が放熱される。
【００５３】
ここで、図６により貫通孔８２ｃの断面について説明する。貫通孔８２ｃは、２本のリード端子７１ｃのそれぞれに設けられている。そして、貫通孔８２ｃは、リード端子７１ｃの外周に設けられた絶縁部７１ｃ１の外周に接するようにして、その外周に沿って円弧状に形成される湾曲外周部８２ｃ１が連続した円形状の孔として、形成されている。
【００５４】
ここで、２つの貫通孔８２ｃの断面積の和は、２本のリード端子７１ｃの断面積を合わせた面積より大きく形成される。それぞれの貫通孔８２ｃには、リード端子７１ｃと貫通孔８２ｃの内壁とが接触することを回避するため、リード端子７１ｃに絶縁部７１ｃ１を設けたり、十分な隙間（所定の絶縁間隔）を設けたりする。よって、それぞれの貫通孔８２ｃは、必ずリード端子７１ｃの径よりも大きく形成される。本実施形態においては、２つの貫通孔８２ｃを合わせた断面積は、２本のリード端子７１ｃの断面積を合わせた面積よりも、絶縁部７１ｃ１の分だけ大きくなる。
【００５５】
また、２つの貫通孔８２ｃの断面積の和は、２本のリード端子７１ｃの上記絶縁部７１ｃ１を含む部分に接する外接円Ｐの面積よりも小さく形成される。ここで、従来技術においては、２本のリード端子７１ｃの絶縁部７１ｃ１を含む部分が挿通できるように、外接円Ｐよりも大きい径の円で貫通孔が形成されていた。すると、従来技術における取付部７１ｂと載置面８２ｂ１の接触面積は、図６において二点鎖線で示す外接円Ｐの外側の範囲であって、破線で示す取付部７１ｂの円内の範囲となる。一方、本実施形態における取付部７１ｂと載置面８２ｂ１の接触面積は、実線で示した貫通孔８２ｃの円の外側の範囲であって、破線で示す取付部７１ｂの円内の範囲となる。ゆえに、２つの貫通孔８２ｃの断面積の和を２本のリード端子７１ｃの外接円Ｐの面積よりも小さく形成することで、取付部７１ｂと載置面８２ｂ１との接触面を従来よりも大きくすることができ、発光素子７１からの放熱効果を向上させることができる。
【００５６】
次に、図７に基づいて、他の実施形態を説明する。図７は、図５のＶＩ−ＶＩ断面に相当する横断面模式図である。前述の図６の実施形態から貫通孔８２ｃの横断面における形状を変更している。図７の貫通孔８２ｃは、１つに形成されている。貫通孔８２ｃは、絶縁部７１ｃ１に接するよう、その外周に沿った湾曲外周部８２ｃ１が含まれるように形成されている。そして、２つの湾曲外周部８２ｃ１を接続するようにして、湾曲外周部８２ｃ１間には２か所の接続部８２ｃ２が形成されている。この接続部８２ｃ２は、内側に向けて湾曲する凹曲線状に形成されている。このように形成される貫通孔８２ｃの断面積は、２本のリード端子７１ｃの絶縁部７１ｃ１を含む部分の断面積を合わせた面積より大きく、２本のリード端子７１ｃの絶縁部７１ｃ１を含む部分に接する外接円Ｐの面積よりも小さい。
【００５７】
次に、図８に基づいて、さらに他の実施形態を説明する。図８も同様に、図５のＶＩ−ＶＩ断面に相当する横断面模式図である。前述の図６の実施形態から貫通孔８２ｃの横断面における形状を変更している。図８の貫通孔８２ｃは、１つに形成されている。貫通孔８２ｃは、絶縁部７１ｃ１に接するように、その外周に沿った湾曲外周部８２ｃ１が含まれるように形成されている。そして、２つの湾曲外周部８２ｃ１を接続するようにして、湾曲外周部８２ｃ１間には２か所の接続部８２ｃ２が形成されている。この接続部８２ｃ２は、外側に向けて湾曲する凸曲線状に形成されている。このように形成される貫通孔８２ｃの断面積は、２本のリード端子７１ｃの絶縁部７１ｃ１を含む部分の断面積を合わせた面積より大きく、２本のリード端子７１ｃの絶縁部７１ｃ１を含む部分に接する外接円Ｐの面積よりも小さい。
【００５８】
次に、図９に基づいて、さらに他の実施形態を説明する。図９も同様に、図５のＶＩ−ＶＩ断面に相当する横断面模式図である。前述の図６の実施形態から、リード端子７１ｃの本数が３本（１本は、ダミーピンやコモンピン等）とされる発光素子７１に変更している。そして、３本のリード端子７１ｃのそれぞれについて、貫通孔８２ｃが、絶縁部７１ｃ１に接するようにして、その外周に沿って円弧状に形成される湾曲外周部８２ｃ１が連続した円形状の孔として形成されている。それぞれの貫通孔８２ｃの外周は、前述の図６の実施形態と同様に、リード端子７１ｃの外周に設けられた絶縁部７１ｃ１の外周と同等より僅かに大きく形成されている。このように形成される貫通孔８２ｃは、形状が円環状に形成され、その断面積の和は、３本のリード端子７１ｃの絶縁部７１ｃ１を含めた部分の断面積を合わせた面積より大きく、３本のリード端子７１ｃの絶縁部７１ｃ１を含む部分に接する外接円Ｐの面積よりも小さい。
【００５９】
次に、図１０に基づいて、さらに他の実施形態を説明する。図１０も同様に、図５のＶＩ−ＶＩ断面に相当する横断面模式図である。前述の図６の実施形態から、リード端子７１ｃの本数が３本とされる発光素子７１に変更している。そして、本実施形態の貫通孔８２ｃは、前述の図７の実施形態における貫通孔８２ｃを、リード端子７１ｃが３本のものに対応するように形成したものである。図１０の貫通孔８２ｃは、１つに形成されている。貫通孔８２ｃは、絶縁部７１ｃ１に接するように、その外周に沿った湾曲外周部８２ｃ１が含まれるように形成されている。そして、３つの湾曲外周部８２ｃ１を接続するようにして、湾曲外周部８２ｃ１間には３か所に接続部８２ｃ２が形成されている。この接続部８２ｃ２は、内側に向けて湾曲する凹曲線状に形成されている。このように形成される貫通孔８２ｃの断面積は、３本のリード端子７１ｃの絶縁部７１ｃ１を含む部分の断面積を合わせた面積より大きく、３本のリード端子７１ｃの絶縁部７１ｃ１を含む部分に接する外接円Ｐの面積よりも小さい。
【００６０】
次に、図１１に基づいて、他の実施形態を説明する。図１１も同様に、図５のＶＩ−ＶＩ断面に相当する横断面模式図である。前述の図６の実施形態から、リード端子７１ｃの本数が３本とされる発光素子７１に変更している。図１１の貫通孔８２ｃは、１つに形成されている。貫通孔８２ｃは、絶縁部７１ｃ１に接するように、その外周に沿った湾曲外周部８２ｃ１が含まれるように形成されている。そして、３つの湾曲外周部８２ｃ１を接続するようにして、湾曲外周部８２ｃ１間には３か所に接続部８２ｃ２が形成されている。この接続部８２ｃ２は、直線状に形成されている。このように形成される貫通孔８２ｃの断面積は、３本のリード端子７１ｃの絶縁部７１ｃ１を含む部分の断面積を合わせた面積より大きく、３本のリード端子７１ｃの絶縁部７１ｃ１を含む部分に接する外接円Ｐの面積よりも小さい。
【００６１】
以上、本発明の実施形態を説明したが、適宜変更して本発明を実施することができる。例えば、以上の実施形態においては、リード端子７１ｃを直線状として形成したが、必要に応じて折り曲げ等の加工を施してもよい。この場合においても、長さ方向における貫通孔８２ｃの所定の位置における横断面の断面積が、各リード端子７１ｃの絶縁部７１ｃ１を含む部分の断面積の総和より大きく、複数のリード端子７１ｃの絶縁部７１ｃ１を含む部分に接する外接円Ｐの面積よりも小さければよい。また、リード端子７１ｃの端子の本数も、２本又は３本に限られるものではない。
【００６２】
さらに、貫通孔８２ｃの形状は、その長さ方向において所定の位置の横断面の形状が変化したとしても、貫通孔８２ｃの長さ方向における所定の位置の横断面の断面積が、各リード端子７１ｃの断面積の総和より大きく、複数のリード端子７１ｃの外接円Ｐの面積よりも小さければよい。さらにまた、上記各実施例においては、貫通孔８２ｃの接続部８２ｃ２は、凹曲線状、凸曲線状または直線状としたが、これらを組み合わせて形成してもよい。例えば、２本のリード端子７１ｃに対して一つの貫通孔８２ｃが形成されている場合において、２つの接続部８２ｃ２の一方を凹曲線状とし、他方を凸曲線状として形成することができる。また、リード端子７１ｃに対して、一つのリード端子７１ｃは円環状の貫通孔を外周に形成し、他の２つのリード端子７１ｃに対しては、一つの貫通孔８２ｃを形成してもよい。
【００６３】
また、上記の実施の形態においては、リード端子７１ｃの外周近傍に貫通孔８２ｃを形成したが、貫通孔８２ｃの断面積が、各リード端子７１ｃの絶縁部７１ｃ１を含む部分の断面積の総和より大きく、複数のリード端子７１ｃの絶縁部７１ｃ１を含む部分に接する外接円Ｐの面積よりも小さければ、リード端子７１ｃと貫通孔８２ｃの内壁との間が十分に離間されていてもよい。しかしながら、貫通孔８２ｃは、リード端子７１ｃの外周近傍に形成されれば、より好適に本発明を実施することができる。
【００６４】
また、発光素子７１のフランジ状に形成された取付部７１ｂは、本実施例においては略円筒状に形成されるが、角筒等の他の筒状に形成されていてもよいし、フランジ状に形成されることなく、発光部７１ａの端面から長手方向に直線的に延びる円筒状等としてもよい。また、本実施の形態においては、リード端子７１ｃの外周に絶縁部７１ｃ１を設けたが、第一ホルダー８２とリード端子７１ｃが接触してショートしないように、上述のように、リード端子７１ｃと貫通孔８２ｃの壁面との間に、所定の間隔を設ける他に、貫通孔８２ｃ側に絶縁塗装を施すようにしてもよい。
【００６５】
次に、本発明に係る発光素子の取付方法及び光源装置である励起光照射装置７０の製造方法を、図４及び図５の構造図及び図１２のフロー図に基づいて説明する。発光素子の取付方法は、以下の工程により構成される。
【００６６】
まず、発光素子７１の取付部７１ｂの端面と、第一ホルダー８２の載置面８２ｂ１とが接するようにして、２本のリード端子７１ｃを貫通孔８２ｃに挿通させつつ、発光素子７１を座繰り部８２ｂの載置面８２ｂ１に載置する（ステップＳ１：素子載置工程）。
次に、第一ホルダー８２の前面８２ａの部分に隙間８７に相当する適量の熱伝導性接着剤８８を塗布する（ステップＳ２：接着剤塗布工程）。なお、この接着剤塗布工程を行わないようにしてもよい。
次に、発光素子７１の発光部７１ａ側から、発光素子７１を収納する孔部８３ａを備えた第二ホルダー８３を第一ホルダー８２に装着する。このとき、上述のように、第二ホルダー８３における、その後面８３ｂの端部８３ｃにより、発光素子７１のフランジ状の取付部７１ｂの前面の周囲が押圧される（ステップＳ３：ホルダー装着工程）。
上記接着剤塗布工程を行った場合は、隙間８７に熱伝導性接着剤８８が広がり、第一ホルダー８２の前面８２ａと、第二ホルダー８３の後面８３ｂとが固着されるとともに、両者の間の熱伝導性も向上する。
次に、第一ホルダー８２と、第二ホルダー８３とを、ホルダー用ねじ８６にて締結（固定）する（ステップＳ４：ホルダー固定工程）。
【００６７】
続いて、リード端子７１ｃと、ＦＰＣ９０とを半田９０ａにより接続する（ステップＳ５：接続工程）。
次に、第二ホルダー８３における孔部８３ａの受け部８３ｃに支持されるように、コリメータレンズ７３を圧入するように載置する（ステップＳ６：レンズ載置工程）。
次には、レンズ押え板８９を第二ホルダー８３に装着する（ステップＳ７：押え板装着工程）。
最後に、ねじ８５をレンズ押え板８９側から挿入して、レンズ押え板８９と、組み合わされた第一ホルダー８２及び第二ホルダー８３と、をヒートシンク８１と締結する（ステップＳ８：締結工程）。
【００６８】
以上の工程により、本発明に係る光源装置が組み立てられ、製造される。なお、図５に示す絶縁部７１ｃ１は、第１工程の前にリード端子７１ｃに施しておくことが好適である。例えば、素子載置工程の前に、リード端子７１ｃに絶縁チューブを嵌め込みして形成してもよいし、リード端子７１ｃ及び又は貫通孔８２ｃに絶縁塗装を行ってもよい。また、以上の工程は、先に接続工程、レンズ載置工程を行い、そのあとに素子載置工程〜接続工程を行ってもよい。さらにまた、接続工程は、締結工程以前に行えばよい。
【００６９】
以上の本発明に係る実施例においては、光源装置である励起光照射装置７０においては、発光素子７１の取付部７１ｂが、第一ホルダー８２の載置面８２ｂ１に載置される。そして、載置面８２ｂ１から貫通して形成される貫通孔８２ｃに、発光素子７１のリード端子７１ｃが挿通される。そして、この貫通孔８２ｃの断面積は、各リード端子７１ｃの断面積の総和より大きく、複数のリード端子７１ｃによる外接円の面積より小さく形成されている。この構成により、発光素子と第一ホルダーの載置面とが接触する面積が増大するので、発光素子が発する熱の第一ホルダー８２への放熱効率を向上させることができる。
【００７０】
また、貫通孔８２ｃは、リード端子７１ｃの外周に沿った円弧状に形成される湾曲外周部８２ｃ１を有するように形成することができる。これにより、角部の無い円弧状の湾曲外周部にリード端子がガイドされるので、リード端子の突端が貫通孔内で引っ掛かることなくスムーズにリード端子を挿通させることができる。
【００７１】
また、貫通孔８２ｃはリード端子７１ｃ毎に形成し、各貫通孔８２ｃの横断面形状は、リード端子７１ｃ毎に湾曲外周部を連続して円形に形成することもできる。これにより、取付部と載置面との接触面積が最大である光源装置を得ることができる。
【００７２】
また、貫通孔８２ｃの横断面形状は、湾曲外周部８２ｃ１と、湾曲外周部８２ｃ１同士を接続した接続部８２ｃ２と、により構成されるようにすることもできる。そして、接続部８２ｃ２は、外側に湾曲する凸曲線状に形成することができる。これにより、貫通孔が一つにまとまっているので、リード端子を挿入し易くなるとともに、貫通孔内を加工する場合には加工が容易となる。
【００７３】
また、貫通孔８２ｃの横断面形状は、湾曲外周部８２ｃ１と、湾曲外周部８２ｃ１同士を接続した接続部８２ｃ２と、により構成されるようにするとともに、接続部８２ｃ２は、内側に湾曲する凹曲線状に形成することができる。これにより、貫通孔が一つにまとまっているので、リード端子を挿入し易くなるとともに、取付部と載置面の接触面積を増大させて放熱効果を向上させた光源装置を得ることができる。
【００７４】
また、貫通孔８２ｃの横断面形状は、湾曲外周部８２ｃ１と、湾曲外周部８２ｃ１同士を接続した接続部８２ｃ２と、により構成されるようにするとともに、接続部８２ｃ２を、直線状に形成することができる。これにより、貫通孔８２ｃを加工する場合には、直線状の接続部により加工が容易となる。
【００７５】
また、各リード端子７１ｃの外周に絶縁部７１ｃ１を設けることができる。これにより、リード端子と第一ホルダーとの接触を確実に回避することができるとともに、貫通孔と絶縁部を接触させることができるので、貫通孔を小さく形成することができる。そして、この絶縁部７１ｃ１を絶縁チューブとすれば、絶縁部を施す処理が製造上容易になる。
【００７６】
また、載置面は、座繰り状に（凹部として）形成された座繰り部８２ｂの底面として形成することができる。これにより、発光素子の第一ホルダーに対する固定がより確実に行える。そして、座繰り部の壁面がガイドの役目を果たすため、載置面への載置を容易に行うことができる。
【００７７】
また、第一ホルダー８２には、各リード端子７１ｃと接続する回路基板であるＦＰＣ９０を挿通可能に形成された回路基板挿通溝８２ｄが形成される。これにより、発光素子への電源供給等を行うＦＰＣ９０が第一ホルダー等の他の部材と干渉しないように構成することができる。
【００７８】
また、ヒートシンク８１は、第一ホルダー８２の回路基板挿通溝８２ｄに対向して凹溝部８１ａが形成されている。これにより、ＦＰＣに接続されるリード端子の突端部や接続用の半田とヒートシンクとの干渉を防止することができ、ヒートシンクにより第一ホルダーや発光素子を効率よく冷却することができる。
【００７９】
また、以上の光源装置を有し、さらに発光素子７１からの射出光を集光するコリメータレンズ７３と、コリメータレンズ７３を固定する第二ホルダーと、で構成された光源装置とすることができる。これにより、コリメータレンズ等の射出光を集光する光学機器として、発光素子の放熱効果を向上させた光源装置を得ることができる。
【００８０】
また、この光源装置と、光源側光学系と、投影側光学系と、投影装置制御手段とを有する投影装置とすることができる。これにより、発光素子の放熱効果を向上させた光源装置を有する投影装置を得ることができる。
【００８１】
また、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００８２】
以下に、本願出願の最初の特許請求の範囲に記載された発明を付記する。
［１］  複数のリード端子を有する発光素子と、前記複数のリード端子が突出する取付部と接して前記発光素子が載置される載置面と、前記載置面から貫通し、前記リード端子を挿通させる貫通孔と、を有する第一ホルダーと、を備え、前記貫通孔の断面積は、前記各リード端子の断面積の総和より大きく、前記複数のリード端子による外接円の面積よりも小さいことを特徴とする光源装置。
［２］  前記貫通孔は、前記貫通孔の断面において、前記リード端子の外周に沿った円弧状に形成される湾曲外周部を有することを特徴とする前記［１］に記載の光源装置。
［３］  前記貫通孔は前記複数のリード端子毎に形成され、前記貫通孔の夫々の断面において、前記リード端子毎に前記湾曲外周部が連続して円形に形成されていることを特徴とする前記［１］又は前記［２］に記載の光源装置。
［４］  前記貫通孔は、前記貫通孔の断面において、各前記リード端子に沿った夫々の前記湾曲外周部と、前記湾曲外周部同士を接続した接続部と、により構成され、前記接続部は、外側に湾曲する凸曲線状に形成されることを特徴とする前記［１］乃至前記［３］の何れかに記載の光源装置。
［５］  前記貫通孔は、前記貫通孔の断面において、各前記リード端子に沿った夫々の前記湾曲外周部と、前記湾曲外周部同士を接続した接続部と、により構成され、前記接続部は、内側に湾曲する凹曲線状に形成されることを特徴とする前記［１］乃至前記［４］の何れかに記載の光源装置。
［６］  前記貫通孔は、前記貫通孔の断面において、各前記リード端子に沿った夫々の前記湾曲外周部と、前記湾曲外周部同士を接続した接続部と、により構成され、前記接続部は、直線状に形成されることを特徴とする前記［１］乃至前記［５］の何れかに記載の光源装置。
［７］  各前記リード端子は、外周に絶縁部が設けられていることを特徴とする前記［１］乃至前記［６］の何れかに記載の光源装置。
［８］  前記載置面は、前記第一ホルダーの前面に凹部として形成された座繰り部の底面であることを特徴とする前記［１］乃至前記［７］の何れかに記載の光源装置。
［９］  前記第一ホルダーは、前記各リード端子と接続する回路基板が挿通可能に形成された回路基板挿通溝がその裏面に設けられていることを特徴とする前記［１］乃至前記［８］の何れかに記載の光源装置。
［１０］  前記第一ホルダーと接続されるヒートシンクを更に備え、  前記ヒートシンクには、前記回路基板挿通溝と対向した凹溝部が前記第一ホルダーとの接触面に設けられていることを特徴とする前記［９に記載の光源装置。
［１１］  前記発光素子から射出される光束を集光するレンズと、前記レンズが収納されるとともに、前記第一ホルダーと接続され、前記発光素子の射出方向側に設けられる第二ホルダーと、を更に備えることを特徴とする前記［１］乃至前記［１０の何れか記載の光源装置。
［１２］  前記［１］乃至前記［１１］の何れかに記載の前記光源装置と、前記光源装置からの光を表示素子に導光する光源側光学系と、前記表示素子から射出された画像をスクリーンに投影する投影側光学系と、前記光源装置や前記表示素子を制御する投影装置制御手段と、を備えることを特徴とする投影装置。
［１３］  略筒状に形成された取付部を有し、該取付部の後端面から複数のリード端子を突出して形成された発光素子を含む光源装置の製造方法であって、載置面から貫通する貫通孔を有し、該貫通孔は、各前記リード端子の断面積の総和より大きく、複数の前記リード端子による外接円の面積よりも小さく形成された第一ホルダーを準備する準備工程と、前記発光素子の前記取付部を複数の前記リード端子を前記貫通孔に挿通させるように前記載置面に載置する素子載置工程と、発光素子の射出方向側から、前記発光素子を収納する孔部を備えた第二ホルダーを前記第一ホルダーに装着するホルダー装着工程と、前記第一ホルダーと、前記第二ホルダーとを固定するホルダー固定工程と、複数の前記リード端子と、回路基板とを接続する接続工程と、前記第二ホルダーにレンズを載置するレンズ載置工程と、前記レンズの脱落を防止するレンズ押え板を前記第二ホルダーに装着する押え板装着工程と、前記レンズ押え板と、組み合わされた前記第一ホルダー及び前記第二ホルダーを締結する締結工程と、を含むことを特徴とする光源装置の製造方法。
［１４］  前記ホルダー装着工程の前に、前記第一ホルダー及び］又は前記第二ホルダーの対向面に熱伝導性接着剤を塗布する塗布工程をさらに含むことを特徴とする前記［１３に記載の光源装置の製造方法。
［１５］  前記締結工程は、前記第一ホルダーと接続されるヒートシンクをともに締結することを特徴とする前記［１３］又は前記［１４］に記載の光源装置の製造方法。
［１６］  前記素子載置工程の前に、前記リード端子と前記第一ホルダー間に絶縁処理を施すことを特徴とする前記［１３］乃至前記［１５］の何れかに記載の光源装置の製造方法。
［１７］  前記絶縁処理は、各前記リード端子に絶縁性チューブを被覆させることを特徴とする前記［１６］に記載の光源装置の製造方法。
【符号の説明】
【００８３】
１０  投影装置                          １１  上面パネル
１２  正面パネル                        １３  背面パネル
１４  右側パネル                        １５  左側パネル
１７  排気孔                            １８  吸気孔
１９  レンズカバー                      ２０  各種端子
２１  入出力コネクタ部                  ２２  入出力インターフェース
２３  画像変換部                        ２４  表示エンコーダ
２６  表示駆動部                        ３１  画像圧縮／伸長部
３２  メモリカード                      ３５  受信部
３６  処理部                            ３７  キー／インジケータ部
３８  制御部                            ４１  光源制御回路
４３  冷却ファン駆動制御回路            ４５  レンズモータ
４７  音声処理部                        ４８  スピーカ
５１  表示素子                          ６０  光源ユニット
７０  励起光照射装置                    ７１  発光素子
７１ａ  発光部                          ７１ｂ  取付部
７１ｃ  リード端子                      ７１ｃ１  絶縁部
７２  光源群                            ７３  コリメータレンズ
７５  反射ミラー                        ７８  集光レンズ
８１  ヒートシンク                      ８１ａ  凹溝部
８２  第一ホルダー                      ８２ａ  前面
８２ｂ  座繰り部                        ８２ｂ１  載置面
８２ｃ  貫通孔                          ８２ｃ１  湾曲外周部
８２ｃ２  接続部                        ８２ｄ  回路基板挿通溝
８２ｅ  後面                            ８３  第二ホルダー
８３ａ  孔部                            ８３ｂ  後面
８３ｃ  受け部                          ８７  隙間
８８  熱伝導性接着剤                    ８９  レンズ押え板
８９ａ  孔部                            ９０  ＦＰＣ
９０ａ  半田
１００  蛍光発光装置                    １０１  蛍光ホイール
１１０  ホイールモータ                  １１１  集光レンズ群
１１５  集光レンズ                      １２０  赤色光源装置
１２１  赤色光源                        １２５  集光レンズ群
１３０  ヒートシンク                    １４０  導光光学系
１４１  第一ダイクロイックミラー        １４３  第一反射ミラー
１４５  第二反射ミラー                  １４８  第二ダイクロイックミラー
１６０  光学系ユニット                  １６１  照明側ブロック
１６５  画像生成ブロック                １６８  投影側ブロック
１７０  光源側光学系                    １７３  集光レンズ
１７５  ライトトンネル                  １７８  集光レンズ
１８１  光軸変換ミラー                  １８３  集光レンズ
１８５  照射ミラー                      １９０  ヒートシンク
１９５  集光レンズ
２２０  投影側光学系
２２５  固定レンズ群                    ２３５  可動レンズ群
２４１  制御回路基板                    ２６１  冷却ファン
Ｐ  外接円
【図１】
2015122142.tif 000003
【図２】
2015122142.tif 000004
【図３】
2015122142.tif 000005
【図４】
2015122142.tif 000006
【図５】
2015122142.tif 000007
【図６】
2015122142.tif 000008
【図７】
2015122142.tif 000009
【図８】
2015122142.tif 000010
【図９】
2015122142.tif 000011
【図１０】
2015122142.tif 000012
【図１１】
2015122142.tif 000013
【図１２】
2015122142.tif 000014